(57)【要約】【課題】テレビジョンシステム及びテレビジョン受像機（ＴＶ受像機）において、ネットワークアプリケーション等のアプリケーションを簡単に使用許可状態にする。【解決手段】（５）に示されるように、スマートフォンのメモリに記憶されたＶＯＤ用アカウント情報が、Ｂｌｕｅｔｏｏｔｈ通信部によってＢｌｕｅｔｏｏｔｈ通信でＴＶ受像機に送信されて、ＴＶ受像機が、このＶＯＤ用アカウント情報をＢｌｕｅｔｏｏｔｈ通信部で受信し、メモリに記憶する（Ｓ２）。これにより、ＴＶ受像機が、自機のメモリに記憶されたＶＯＤ用アカウント情報を用いて、ＶＯＤアプリケーションを使用するのに必要なユーザ認証（アカウントへのログイン）を自動的に行うことができる（Ｓ３）。【選択図】図４
2014115760.tif 000002
【特許請求の範囲】
【請求項１】
アプリケーションを使用するのに必要なユーザ認証情報を記憶する端末側認証情報記憶手段と、前記端末側認証情報記憶手段に記憶されたユーザ認証情報を、無線通信で送信するための無線送信手段とを備えた携帯型情報端末と、
前記無線送信手段を用いて前記携帯型情報端末から送信されたユーザ認証情報を、無線通信で受信するための無線受信手段と、前記無線受信手段により受信したユーザ認証情報を記憶するテレビ側認証情報記憶手段とを備えたテレビジョン受像機とを含むテレビジョンシステム。
【請求項２】
前記携帯型情報端末と前記テレビジョン受像機との間の無線通信の接続が確立したときに、前記携帯型情報端末側の無線送信手段が、前記端末側認証情報記憶手段に記憶されたユーザ認証情報を、無線通信で前記テレビジョン受像機側の無線受信手段に送信することを特徴とする請求項１に記載のテレビジョンシステム。
【請求項３】
前記携帯型情報端末において使用可能なアプリケーションと、前記テレビジョン受像機において使用可能なアプリケーションとの間で重複するアプリケーションを検索する検索手段をさらに備え、
前記無線送信手段は、前記検索手段による検索の結果、重複するアプリケーションを使用するのに必要なアカウント情報を、前記ユーザ認証情報として前記テレビジョン受像機側の無線受信手段に送信することを特徴とする請求項１又は請求項２に記載のテレビジョンシステム。
【請求項４】
前記テレビジョン受像機は、該テレビジョン受像機と前記携帯型情報端末との間の無線通信の接続が切断されたときに、前記テレビ側認証情報記憶手段に記憶されたユーザ認証情報を削除する認証情報削除手段をさらに備えたことを特徴とする請求項１乃至請求項３のいずれか１項に記載のテレビジョンシステム。
【請求項５】
前記テレビジョン受像機と前記携帯型情報端末とは、複数の種類の近距離無線通信方式で通信可能であり、
前記認証情報削除手段は、前記テレビジョン受像機と前記携帯型情報端末との間で使用可能な全ての種類の近距離無線通信方式による無線通信の接続が切断されたときに、前記テレビ側認証情報記憶手段に記憶されたユーザ認証情報を削除することを特徴とする請求項４に記載のテレビジョンシステム。
【請求項６】
前記認証情報削除手段は、前記テレビジョン受像機と前記携帯型情報端末との間で使用可能な全ての種類の近距離無線通信方式による無線通信の接続が、一定の時間以上切断されたときに、前記テレビ側認証情報記憶手段に記憶されたユーザ認証情報を削除することを特徴とする請求項５に記載のテレビジョンシステム。
【請求項７】
携帯型情報端末から送信されたユーザ認証情報を、無線通信で受信するための無線受信手段と、
前記無線受信手段により受信したユーザ認証情報を記憶する認証情報記憶手段と、
前記認証情報記憶手段に記憶されたユーザ認証情報を用いて、アプリケーションを使用するのに必要なユーザ認証処理を行うように制御する制御手段とを備えたテレビジョン受像機。
【請求項８】
前記携帯型情報端末において使用可能なアプリケーションと、前記テレビジョン受像機において使用可能なアプリケーションとの間で重複するアプリケーションを検索する検索手段をさらに備え、
前記ユーザ認証情報は、前記検索手段による検索の結果、重複するアプリケーションを使用するのに必要なアカウント情報であることを特徴とする請求項７に記載のテレビジョン受像機。
【請求項９】
前記テレビジョン受像機は、前記テレビジョン受像機と前記携帯型情報端末との間の無線通信の接続が切断されたときに、前記認証情報記憶手段に記憶されたユーザ認証情報を削除する認証情報削除手段をさらに備えたことを特徴とする請求項８に記載のテレビジョン受像機。
【発明の詳細な説明】
【技術分野】
【０００１】
本発明は、スマートフォン、タブレット端末等の携帯型情報端末と、テレビジョン受像機とを含むテレビジョンシステムに関する。
【背景技術】
【０００２】
従来から、ＬＡＮ（Ｌｏｃａｌ  Ａｒｅａ  Ｎｅｔｗｏｒｋ）を経由してインターネットに接続することが可能なテレビジョン受像機が知られている。この種のテレビジョン受像機では、ＶＯＤ（Ｖｉｄｅｏ  Ｏｎ  Ｄｅｍａｎｄ）用のアプリケーションや、ツイッター用のアプリケーション等の種々のネットワークアプリケーション（ネットワークを利用したアプリケーション）を使用することができる。また、スマートフォン、タブレット端末等の携帯型情報端末でも、上記のＶＯＤ、ツイッター用のアプリケーションや、Ｆａｃｅｂｏｏｋ等のＳＮＳ（Ｓｏｃｉａｌ  Ｎｅｔｗｏｒｋｉｎｇ  Ｓｅｒｖｉｃｅ）用のアプリケーション（ソーシャルアプリケーション）等の種々のネットワークアプリケーションを使用することができる。
【０００３】
また、携帯型情報端末や家庭用電気製品（以下、家電製品と略す）において、ＮＦＣ（Ｎｅａｒ  Ｆｉｅｌｄ  Ｃｏｍｍｕｎｉｃａｉｏｎ）機能を搭載したものがある。ＮＦＣとは、近距離無線通信技術の国際標準規格であり、通信距離が１０ｃｍ程度に限定され、その最も特徴的な機能は、「かざす」だけで、簡単に双方向の通信を行うことができることである。例えば、ＮＦＣ機能を搭載したスマートフォンを、ＮＦＣ機能を搭載したプリンタに「かざす」だけで、スマートフォンに記憶していた写真を、プリンタで印刷することができる。
【０００４】
上記のＮＦＣに関する先行技術文献としては、下記の特許文献１がある。この特許文献１には、ＮＦＣ機能を搭載したモバイル機器間において、仮想カードの転送を行うことが開示されている。ここで、仮想カードにおける「カード」には、クレジットカード等の支払用のカードや、名刺等の非支払用のカードが含まれる。
【先行技術文献】
【特許文献】
【０００５】
【特許文献１】特表２０１２−５０５４７５号公報
【発明の概要】
【発明が解決しようとする課題】
【０００６】
上記従来のインターネット接続可能なテレビジョン受像機でネットワークアプリケーションを使用するためには、ユーザは、各ネットワークアプリケーションについて、アカウント（ユーザアカウント）を取得した上で、アカウントに対応したＩＤとパスワード（アカウント情報）を入力して、ログインしなければならない。すなわち、ユーザが手動でユーザ認証を行わなければならない。従って、ネットワークアプリケーションを使用可能状態（使用許可状態）にするのに手間がかかるという問題があった。また、ＶＯＤ等の有償のアプリケーションについては、あるユーザ（例えば父親）が一旦ログイン（ユーザ認証）してしまうと、テレビジョン受像機の電源オフ等によりログオフするまでは、ログインしたユーザ以外の人間（例えば子供）が、コンテンツを購入したり、ログインしたユーザ（例えば父親）の有する資格でコンテンツの内容を参照することが可能になる。
【０００７】
なお、上記特許文献１に記載されたシステムでは、上記のネットワークアプリケーションを使用許可状態にするのに手間がかかるという問題を解決することはできない。
【０００８】
本発明は、上記課題を解決するものであり、ネットワークアプリケーション等のアプリケーションを簡単に使用許可状態にすることが可能なテレビジョンシステム及びテレビジョン受像機を提供することを目的とする。
【課題を解決するための手段】
【０００９】
上記課題を解決するために、本発明の一態様のテレビジョンシステムは、アプリケーションを使用するのに必要なユーザ認証情報を記憶する端末側認証情報記憶手段と、端末側認証情報記憶手段に記憶されたユーザ認証情報を、無線通信で送信するための無線送信手段とを備えた携帯型情報端末と、無線送信手段を用いて携帯型情報端末から送信されたユーザ認証情報を、無線通信で受信するための無線受信手段と、無線受信手段により受信したユーザ認証情報を記憶するテレビ側認証情報記憶手段とを備えたテレビジョン受像機とを含む。
【００１０】
上記構成においては、携帯型情報端末の端末側認証情報記憶手段に記憶されたユーザ認証情報（例えばアカウント情報）が、無線送信手段によって、無線通信でテレビジョン受像機に送信されて、テレビジョン受像機が、このユーザ認証情報を無線受信手段で受信して、テレビ側認証情報記憶手段に記憶する。これにより、テレビジョン受像機が、このユーザ認証情報を用いて、アプリケーションを使用するのに必要なユーザ認証を自動的に行うことができる。従って、従来と異なり、ユーザが手動でユーザ認証を行う必要がなくなるので、ネットワークアプリケーション等のアプリケーションを簡単に使用許可状態にすることができる。
【００１１】
上記の携帯型情報端末とテレビジョン受像機との間の無線通信の接続が確立したときに、携帯型情報端末側の無線送信手段が、端末側認証情報記憶手段に記憶されたユーザ認証情報を、無線通信でテレビジョン受像機側の無線受信手段に送信することが望ましい。これにより、携帯型情報端末とテレビジョン受像機との間の無線通信の接続が確立したときに、テレビジョン受像機が、携帯型情報端末から受信したユーザ認証情報を用いて、アプリケーションを使用するのに必要なユーザ認証を自動的に行うことができる。
【００１２】
上記のテレビジョンシステムは、携帯型情報端末において使用可能なアプリケーションと、テレビジョン受像機において使用可能なアプリケーションとの間で重複するアプリケーションを検索する検索手段をさらに備え、無線送信手段は、検索手段による検索の結果、重複するアプリケーションを使用するのに必要なアカウント情報を、ユーザ認証情報としてテレビジョン受像機側の無線受信手段に送信することが望ましい。これにより、テレビジョン受像機は、自機において使用可能なアプリケーションを使用するのに必要なアカウント情報のみを受信することができる。
【００１３】
上記のテレビジョン受像機は、テレビジョン受像機と携帯型情報端末との間の無線通信の接続が切断されたときに、テレビ側認証情報記憶手段に記憶されたユーザ認証情報を削除する認証情報削除手段をさらに備えることが望ましい。これにより、上記のように、テレビジョン受像機が、携帯型情報端末から受信した、携帯型情報端末の所有者のユーザ認証情報を用いて、アプリケーションを使用するのに必要なユーザ認証を自動的に行った場合でも、携帯型情報端末の所有者（例えば父親）が、テレビジョン受像機から無線通信可能な範囲を離れると、テレビ側認証情報記憶手段に記憶された携帯型情報端末の所有者のユーザ認証情報が削除されるので、携帯型情報端末の所有者以外の人間（例えば子供）が、勝手にアプリケーションを使用することを防ぐことができる。
【００１４】
上記のテレビジョン受像機と携帯型情報端末とは、複数の種類の近距離無線通信方式で通信可能であり、認証情報削除手段は、テレビジョン受像機と携帯型情報端末との間で使用可能な全ての種類の近距離無線通信方式による無線通信の接続が切断されたときに、テレビ側認証情報記憶手段に記憶されたユーザ認証情報を削除することが望ましい。これにより、例えば、上記の複数の種類の近距離無線通信方式が、ＮＦＣと、ＮＦＣよりも通信可能範囲が広いＢｌｕｅｔｏｏｔｈやＷｉＦｉ等の近距離無線通信方式とである場合、ＮＦＣ機能を搭載した携帯型情報端末を、ＮＦＣ機能を搭載したテレビジョン受像機にかざしてユーザ認証を行った後は、上記の携帯型情報端末を、ユーザが使用したり、ポケットに仕舞ったとしても、ＮＦＣよりも通信可能範囲が広い近距離無線通信方式による無線通信の方の接続は切断されないので、テレビ側認証情報記憶手段に記憶されたユーザ認証情報が削除されず、ユーザ認証された状態（アプリケーションを使用可能な状態）が継続する。従って、ユーザの利便性が向上する。
【００１５】
上記の認証情報削除手段は、テレビジョン受像機と携帯型情報端末との間で使用可能な全ての種類の近距離無線通信方式による無線通信の接続が、一定の時間以上切断されたときに、テレビ側認証情報記憶手段に記憶されたユーザ認証情報を削除することが望ましい。これにより、ノイズ等の影響で上記の全ての種類の近距離無線通信方式による無線通信の接続が瞬断した場合でも、テレビ側認証情報記憶手段に記憶されたユーザ認証情報が削除されないので、ユーザ認証された状態（アプリケーションを使用可能な状態）が継続する。
【００１６】
本発明の他の態様のテレビジョン受像機は、携帯型情報端末から送信されたユーザ認証情報を、無線通信で受信するための無線受信手段と、無線受信手段により受信したユーザ認証情報を記憶する認証情報記憶手段と、認証情報記憶手段に記憶されたユーザ認証情報を用いて、アプリケーションを使用するのに必要なユーザ認証処理を行うように制御する制御手段とを備える。これにより、上記と同様な作用及び効果を得ることができる。
【発明の効果】
【００１７】
本発明によれば、テレビジョン受像機が、携帯型情報端末から送信されたユーザ認証情報（例えばアカウント情報）を用いて、アプリケーションを使用するのに必要なユーザ認証（例えばログイン）を自動的に行うことができる。従って、従来と異なり、ユーザが手動でユーザ認証を行う必要がなくなるので、ネットワークアプリケーション等のアプリケーションを簡単に使用許可状態にすることができる。
【図面の簡単な説明】
【００１８】
【図１】本発明の第１の実施形態に係るテレビジョンシステムの概略構成図。
【図２】図１中のテレビジョン受像機の電気的ブロック構成図。
【図３】図１中のスマートフォンの電気的ブロック構成図。
【図４】同テレビジョンシステムにおけるテレビジョン受像機側のアカウント情報の自動更新処理と自動削除処理のフローチャート。
【図５】本発明の第２の実施形態に係るテレビジョンシステムにおけるテレビジョン受像機側のアカウント情報の自動更新処理と自動削除処理のフローチャート。
【図６】本発明の第３の実施形態に係るテレビジョンシステムにおけるテレビジョン受像機側のアカウント情報の自動更新処理と自動削除処理のフローチャート。
【発明を実施するための形態】
【００１９】
以下、本発明の実施形態について、図面を参照して説明する。以下の各実施形態では、本発明のテレビジョンシステムにおけるテレビジョン受像機が、インターネット接続可能なテレビジョン受像機（以下、ＴＶ受像機という）であり、携帯型情報端末がスマートフォンである場合の例について説明する。
【００２０】
＜第１の実施形態＞
図１は、本発明の第１の実施形態によるテレビジョンシステム１（以下、ＴＶシステムという）の概略の構成を示す。ＴＶシステム１は、ＴＶ受像機２と、このＴＶ受像機２に対して無線通信でデータを送受信することが可能なスマートフォン３とを含む。図１に示されるように、ＴＶ受像機２は、ＬＡＮ（Ｌｏｃａｌ  Ａｒｅａ  Ｎｅｔｗｏｒｋ）ケーブル４を介して、ＬＡＮ６に接続されており、このＬＡＮ６とルータ５とを介してインターネット７に接続されている。ＴＶ受像機２は、各種の指示操作に用いられるリモコン１１を有している。
【００２１】
ＴＶ受像機２は、スマートフォン３に対して、ＮＦＣ（Ｎｅａｒ  Ｆｉｅｌｄ  Ｃｏｍｍｕｎｉｃａｉｏｎ）の（無線近距離）通信方式によって各種データを送受信するためのインタフェース回路であるＮＦＣ通信部８と、各種の映像を表示する液晶表示パネル９と、リモコン１１からのリモコン信号を受信するためのリモコン信号受信部１０とを備えている。また、リモコン１１は、各種の指示操作に対応したリモコン信号を送信するためのリモコン信号送信部１２を備えている。
【００２２】
図２は、ＴＶ受像機２の電気的ブロック構成を示す。ＴＶ受像機２は、上記のＮＦＣ通信部８、液晶表示パネル９、及びリモコン信号受信部１０に加えて、装置全体の制御を行うＣＰＵ２１（検索手段、認証情報削除手段、制御手段）と、チューナ２２と、ネットワークカード２３と、デコーダ２４と、映像信号処理回路２５と、電極駆動回路２６と、音声信号処理回路２７と、アンプ２８と、スピーカ２９とを備えている。
【００２３】
チューナ２２は、アンテナ２０を介して受信したディジタルテレビジョン放送をデコーダ２４に送る。ネットワークカード２３は、ＬＡＮ端子２ａと図１に示されるＬＡＮケーブル４とを介して、図１に示されるＬＡＮ６と接続するためのインタフェース用の回路である。
【００２４】
デコーダ２４は、ディジタルテレビジョン放送のデコード用のデコーダだけではなく、各種のネットワークサービスのコンテンツ（例えば、ＶＯＤ（Ｖｉｄｅｏ  Ｏｎ  Ｄｅｍａｎｄ）のコンテンツ）をデコードするためのデコーダを内蔵しており、チューナ２２から送られたディジタルテレビジョン放送や、ネットワークカード２３から送られたネットワークサービスのコンテンツのデコードを行って、ディジタルテレビジョン放送又はネットワークサービスのコンテンツに基づく映像信号と音声信号とを、それぞれ映像信号処理回路２５と音声信号処理回路２７とに出力する。
【００２５】
上記の映像信号処理回路２５は、デコーダ２４から送られた（ディジタルテレビジョン放送又はネットワークサービスのコンテンツに基づく）映像信号に対して各種の映像信号処理を行って、電極駆動回路２６に送る。電極駆動回路２６は、映像信号処理回路２５から受信した映像信号に基づいて、表示用電極を駆動することにより、液晶表示パネル９に映像信号に基づく映像を表示する。
【００２６】
音声信号処理回路２７は、デコーダ２４から送られた（ディジタルテレビジョン放送又はネットワークサービスのコンテンツに基づく）音声信号に対して、各種の音声信号処理やＤ／Ａ変換処理を行った後、これらの処理後のアナログの音声信号をアンプ２８に送る。アンプ２８は、音声信号処理回路２７から受信したアナログの音声信号を増幅してスピーカ２９に出力する。スピーカ２９は、アンプ２８により増幅された後のアナログの音声信号に基づく音声を出力する。
【００２７】
また、ＴＶ受像機２は、各種のプログラムやデータを記憶したメモリ３０（テレビ側認証情報記憶手段、認証情報記憶手段）を有している。このメモリ３０に記憶されたプログラムには、ＴＶ受像機２の制御用のプログラムである制御プログラム３１と、ＶＯＤ（Ｖｉｄｅｏ  Ｏｎ  Ｄｅｍａｎｄ）用のネットワークアプリケーションであるＶＯＤアプリケーション３２とが含まれている。また、メモリ３０に記憶されたデータには、ＶＯＤアプリケーション３２を使用するのに必要なアカウント情報（ＶＯＤアプリケーション３２の各ユーザのアカウントに対応したＩＤとパスワード）であるＶＯＤ用アカウント情報３３が含まれている。
【００２８】
また、ＴＶ受像機２は、スマートフォン３に対して、ＮＦＣよりも通信可能範囲が広いＢｌｕｅｔｏｏｔｈの（無線近距離）通信方式によって、上記のＶＯＤ用アカウント情報３３を含む各種データを送受信するためのＢｌｕｅｔｏｏｔｈ通信部３４（無線受信手段）を備えている。
【００２９】
図３は、スマートフォン３の電気的ブロック構成を示す。スマートフォン３は、装置全体の制御を行うＣＰＵ４０（検索手段）を備えている。また、スマートフォン３は、ＴＶ受像機２との間でＮＦＣの通信方式によって各種データを送受信するためのインタフェース回路であるＮＦＣ通信部３８と、ＴＶ受像機２との間でＢｌｕｅｔｏｏｔｈの通信方式によって各種データを送受信するためのインタフェース回路であるＢｌｕｅｔｏｏｔｈ通信部３９（無線送信手段）と、ＴＶ受像機２との間でＷｉＦｉの（無線近距離）通信方式によって各種データを送受信するためのインタフェース回路であるＷｉＦｉ通信部４１と、携帯電話回線を介して他のスマートフォン等の通信機器と通信するための携帯電話回線通信部４２とを備えている。
【００３０】
また、スマートフォン３は、入出力切換部４３と、各種デコーダ４４と、映像信号処理回路４５と、音声信号処理回路４６と、表示部４７と、アンプ４８と、スピーカ４９とを有している。入出力切換部４３は、ＣＰＵ４０による制御に応じて、ＮＦＣ通信部３８や、Ｂｌｕｅｔｏｏｔｈ通信部３９（無線送信手段）や、ＷｉＦｉ通信部４１や、携帯電話回線通信部４２から出力された圧縮静止画像データ、圧縮動画データ、及び圧縮音声データを、各種デコーダ４４に送る。各種デコーダ４４は、ＪＰＥＧ等の圧縮静止画像データのデコード用のデコーダや、ＭＰＥＧ等の圧縮動画データのデコード用のデコーダや、ＭＰ３（ＭＰＥＧ  Ａｕｄｉｏ  Ｌａｙｅｒ−３）等の圧縮音声データのデコード用のデコーダを含んでいる。各種デコーダ４４は、ＮＦＣ通信部３８や、Ｂｌｕｅｔｏｏｔｈ通信部３９や、ＷｉＦｉ通信部４１や、携帯電話回線通信部４２から出力された圧縮静止画像データ、圧縮動画データ、及び圧縮音声データをデコードして、映像信号や音声信号を生成し、生成した映像信号と音声信号とを、映像信号処理回路４５と、音声信号処理回路４６とに送信する。
【００３１】
上記の映像信号処理回路４５は、各種デコーダ４４から入力された映像信号に対して画像処理等の各種の処理を施して、これらの処理後の映像信号を表示部４７に出力する。表示部４７は、映像信号処理回路４５による処理後の映像信号に基づく映像を表示する。
【００３２】
上記の音声信号処理回路４６は、各種デコーダ４４から入力された音声信号に対して、各種の音声信号処理（入力された音声信号がディジタル形式の音声信号である場合には、Ｄ／Ａ変換処理も含む）を施して、これらの処理後の音声信号をアンプ４８に出力する。アンプ４８は、音声信号処理回路４６から出力された音声信号を増幅して、スピーカ４９に送る。スピーカ４９は、アンプ４８で増幅された音声信号に駆動されて音声を出力する。
【００３３】
また、スマートフォン３は、各種のプログラムやデータを記憶したメモリ５０（端末側認証情報記憶手段）を有している。このメモリ５０に記憶されたプログラムには、スマートフォン３全体の制御用のプログラムである制御プログラム５１と、ＶＯＤ（Ｖｉｄｅｏ  Ｏｎ  Ｄｅｍａｎｄ）用のネットワークアプリケーションであるＶＯＤアプリケーション５２と、ＳＮＳ（Ｓｏｃｉａｌ  Ｎｅｔｗｏｒｋｉｎｇ  Ｓｅｒｖｉｃｅ）用のアプリケーションであるソーシャルアプリケーション５３とが含まれている。
【００３４】
上記のメモリ５０に記憶されたデータには、ＶＯＤアプリケーション５２を使用するのに必要なアカウント情報（ＶＯＤアプリケーション５２の各ユーザのアカウントに対応したＩＤとパスワード）であるＶＯＤ用アカウント情報５４と、ソーシャルアプリケーション５３を使用するのに必要なアカウント情報（ソーシャルアプリケーション５３の各ユーザのアカウントに対応したＩＤとパスワード）であるＳＮＳ用アカウント情報５５とが含まれている。
【００３５】
また、スマートフォン３は、各種の指示操作に用いられる操作部５６と、ユーザによる音声通話時等に、音声の入力に用いられるマイクロフォン５７とを備えている。
【００３６】
次に、上記図１乃至３に加えて、図４のフローチャートを参照して、本ＴＶシステム１において行われる、ＴＶ受像機２側のネットワークアプリケーションのアカウント情報の自動更新処理と自動削除処理について説明する。
【００３７】
スマートフォン３が、ＴＶ受像機２のＮＦＣ通信部８の近傍（ＮＦＣ通信部８による通信可能エリア内）にセットされると（ＮＦＣ通信部８にかざされると）（Ｓ１）、ＴＶ受像機２のＮＦＣ通信部８とスマートフォン３のＮＦＣ通信部３８とは、ＮＦＣの規格に準じた手順で、（１）に示されるように、ＮＦＣ通信の接続を確立させる。ＮＦＣ通信の接続が確立すると、ＴＶ受像機２のＣＰＵ２１とスマートフォン３のＣＰＵ４０とは、（２）に示されるように、ＮＦＣ通信部８とＮＦＣ通信部３８とを用いて、ＮＦＣの通信方式によって、お互いの機器情報を送受信する（やり取りする）。すなわち、ＴＶ受像機２のＣＰＵ２１は、ＴＶ受像機２側の機器情報（ＮＦＣ通信部８以外の通信手段（通信部）に関する情報等）を、ＮＦＣ通信部８によってスマートフォン３に送信する。一方、スマートフォン３のＣＰＵ４０は、スマートフォン３側の機器情報（ＮＦＣ通信部３８以外の通信手段（通信部）に関する情報等）を、ＮＦＣ通信部３８によってスマートフォン３に送信する。
【００３８】
次に、ＴＶ受像機２のＣＰＵ２１とスマートフォン３のＣＰＵ４０とは、上記の（２）の処理でやり取り（送受信）した相手の機器の機器情報と、自機の機器情報とに基づいて、ＴＶ受像機２とスマートフォン３とが、ＮＦＣ通信よりも高速な通信（Ｂｌｕｅｔｏｏｔｈ通信やＷｉＦｉ通信）を行うことが可能な通信部を有しているか否かを判定する。そして、ＴＶ受像機２のＣＰＵ２１とスマートフォン３のＣＰＵ４０とは、（３）に示されるように、ＮＦＣ通信よりも高速な通信を行うことが可能な通信部を有している場合には、その通信部を用いた通信に切り替える。図２及び図３に示される例では、ＴＶ受像機２とスマートフォン３との両方が、ＮＦＣ通信よりも高速な通信を行うことが可能なＢｌｕｅｔｏｏｔｈ通信部３４、３９を有しているので、これらのＢｌｕｅｔｏｏｔｈ通信部３４、３９を用いた通信に切り替える。
【００３９】
そして、ＴＶ受像機２のＣＰＵ２１とスマートフォン３のＣＰＵ４０とは、Ｂｌｕｅｔｏｏｔｈ通信部３４、３９を用いて、（４）に示されるように、ＴＶ受像機２とスマートフォン３とが重複して有しているネットワークアプリケーションを検索（照合）する。図２及び図３に示される例では、ＴＶ受像機２とスマートフォン３との両方が、同じＶＯＤアプリケーション３２、５２を有しているので、上記の検索（照合）の結果、ＴＶ受像機２とスマートフォン３とが重複して有しているネットワークアプリケーション（以下、「重複アプリ」と略す）は、ＶＯＤアプリケーション３２、５２になる。この検索（照合）に、ＮＦＣ通信ではなく、Ｂｌｕｅｔｏｏｔｈ通信を用いる理由は、ＮＦＣ通信よりもＢｌｕｅｔｏｏｔｈ通信の方が高速であるため、好ましいからである。ただし、上記のＢｌｕｅｔｏｏｔｈ通信部３４、３９を用いた通信への切り替え後も、ＰＩＮＧ（Ｐａｃｋｅｔ  ＩＮｔｅｒｎｅｔ  Ｇｒｏｐｅｒ）による定期的なネットワーク診断の用途には、ＮＦＣ通信が用いられる。また、上記（４）に示される検索は、ＴＶ受像機２のＣＰＵ２１が中心になって行ってもよいし、スマートフォン３のＣＰＵ４０が中心になって行ってもよい。
【００４０】
次に、スマートフォン３のＣＰＵ４０は、Ｂｌｕｅｔｏｏｔｈ通信部３４を用いて、（５）に示されるように、上記の重複アプリ（ＶＯＤアプリケーション５２）のアカウント情報（重複アプリのアカウントに対応したＩＤとパスワード）であるＶＯＤ用アカウント情報５４を、メモリ５０から読み込んで、ＴＶ受像機２に送信する。上記（４）に示される検索を、ＴＶ受像機２のＣＰＵ２１が中心になって行った場合は、この検索が完了したときに、ＴＶ受像機２のＣＰＵ２１が、スマートフォン３のＣＰＵ４０に対して、上記のＶＯＤ用アカウント情報５４の送信を促す。また、（４）に示される検索を、スマートフォン３のＣＰＵ４０が中心になって行った場合は、この検索が完了したときに、スマートフォン３のＣＰＵ４０が、Ｂｌｕｅｔｏｏｔｈ通信部３９を用いて、ＴＶ受像機２に上記のＶＯＤ用アカウント情報５４を送信する。なお、（５）の重複アプリのアカウント情報（ＶＯＤ用アカウント情報５４）の送信は、上記（１）のＮＦＣ通信の接続確立をトリガーにして行われる。
【００４１】
ＴＶ受像機２のＣＰＵ２１は、自機が保存している重複アプリのアカウント情報である、メモリ３０内のＶＯＤ用アカウント情報３３を、上記（５）でスマートフォン３から受信したＶＯＤ用アカウント情報５４の内容に更新する（Ｓ２）。これにより、ユーザが、スマートフォン３の所有者（ユーザ）のアカウントで、ＴＶ受像機２のネットワークアプリケーションであるＶＯＤアプリケーション３２を使用することが可能な状態になる（Ｓ３）。
【００４２】
そして、スマートフォン３が、ユーザによって、ＴＶ受像機２のＮＦＣ通信部８から離されて（Ｓ４）、ＴＶ受像機２とスマートフォン３との間のＮＦＣ通信の接続が切断されると、ＴＶ受像機２のＣＰＵ２１は、メモリ３０に記憶された、スマートフォン３の所有者（ユーザ）のアカウント情報（ＶＯＤ用アカウント情報３３）を削除（消去）して（Ｓ５）、ＴＶ受像機２のデフォルトの設定に戻す（Ｓ６）。このデフォルトの設定とは、例えば、ユーザがＶＯＤアプリケーション３２を使用することができないという設定や、ユーザがＴＶ受像機２の所有者のアカウントでＶＯＤアプリケーション３２を使用することができるという設定である。
【００４３】
上記のように、第１の実施形態のＴＶシステム１によれば、スマートフォン３のメモリ５０に記憶されたＶＯＤ用アカウント情報５４（請求項におけるユーザ認証情報）が、Ｂｌｕｅｔｏｏｔｈ通信部３９によってＢｌｕｅｔｏｏｔｈ通信でＴＶ受像機２に送信されて、ＴＶ受像機２が、このＶＯＤ用アカウント情報５４をＢｌｕｅｔｏｏｔｈ通信部３４で受信して、ＶＯＤ用アカウント情報３３としてメモリ３０に記憶する。これにより、ＴＶ受像機２が、メモリ３０に記憶されたＶＯＤ用アカウント情報３３を用いて、ＶＯＤアプリケーション３２を使用するのに必要なユーザ認証（アカウントへのログイン）を自動的に行うことができる。従って、従来と異なり、ユーザが手動でＶＯＤ用アカウント情報を入力して、ユーザ認証を行う必要がなくなるので、ＶＯＤアプリケーション３２等のアプリケーションを簡単に使用許可状態にすることができる。
【００４４】
また、第１の実施形態のＴＶシステム１によれば、スマートフォン３とＴＶ受像機２との間のＮＦＣ通信の接続が確立したときに（ＮＦＣ通信の接続確立をトリガーにして）、スマートフォン３のＢｌｕｅｔｏｏｔｈ通信部３９が、メモリ５０に記憶されたＶＯＤ用アカウント情報５４を、Ｂｌｕｅｔｏｏｔｈ通信でＴＶ受像機２側のＢｌｕｅｔｏｏｔｈ通信部３４に送信するようにした。これにより、スマートフォン３とＴＶ受像機２との間のＮＦＣ通信の接続が確立したときに、ＴＶ受像機２が、スマートフォン３から受信したＶＯＤ用アカウント情報を用いて、ＶＯＤアプリケーション３２等のアプリケーションを使用するのに必要なユーザ認証（アカウントへのログイン）を自動的に行うことができる。
【００４５】
さらにまた、第１の実施形態のＴＶシステム１によれば、ＴＶ受像機２のＣＰＵ２１とスマートフォン３のＣＰＵ４０とが、スマートフォン３において使用可能なアプリケーションと、ＴＶ受像機２において使用可能なアプリケーションとの間で重複するアプリケーション（重複アプリ）を検索して、この検索の結果、重複するアプリケーションを使用するのに必要なアカウント情報（例えば、ＶＯＤ用アカウント情報５４）を、スマートフォン３側のＢｌｕｅｔｏｏｔｈ通信部３９が、ユーザ認証情報としてＴＶ受像機２側のＢｌｕｅｔｏｏｔｈ通信部３４に送信するようにした。これにより、ＴＶ受像機２は、自機において使用可能なアプリケーションを使用するのに必要なアカウント情報のみを受信することができる。
【００４６】
また、第１の実施形態のＴＶシステム１によれば、ＴＶ受像機２のＣＰＵ２１は、ＴＶ受像機２とスマートフォン３との間のＮＦＣ通信の接続が切断されたときに、メモリ３０に記憶された、スマートフォン３のユーザのアカウント情報（ＶＯＤ用アカウント情報３３）を削除するようにした。これにより、上記のように、ＴＶ受像機２が、スマートフォン３から受信した、スマートフォン３のユーザ（所有者）のアカウント情報（例えば、ＶＯＤ用アカウント情報５４）を用いて、アプリケーション（例えば、ＶＯＤアプリケーション３２）を使用するのに必要なユーザ認証を自動的に行った場合でも、スマートフォン３の所有者（例えば父親）が、テレビジョン受像機から無線通信可能な範囲を離れると、メモリ３０に記憶された、スマートフォン３のユーザのアカウント情報が削除されるので、スマートフォン３の所有者以外の人間（例えば子供）が、そのアプリケーションを勝手に使用することを防ぐことができる。
【００４７】
＜第２の実施形態＞
図５は、本発明の第２の実施形態のＴＶシステム１において行われる、ＴＶ受像機２側のネットワークアプリケーションのアカウント情報の自動更新処理と自動削除処理を示す。第２の実施形態のＴＶシステム１におけるアカウント情報の自動更新処理は、第１の実施形態のＴＶシステム１におけるアカウント情報の自動更新処理と同様である。従って、図５中のＳ１１〜Ｓ１３は、図４中のＳ１〜Ｓ３と同様であり、図５中の（１）〜（５）も、図４中の（１）〜（５）と同様である。
【００４８】
また、第２の実施形態におけるアカウント情報の自動削除処理と、第１の実施形態におけるアカウント情報の自動削除処理とは、アカウント情報の削除のトリガーになるイベントが異なるだけであり、他の処理は同様である。
【００４９】
具体的に言うと、第１の実施形態では、スマートフォン３が、ユーザによって、ＴＶ受像機２のＮＦＣ通信部８から離されて（図４中のＳ４）、ＴＶ受像機２とスマートフォン３との間のＮＦＣ通信の接続が切断されると、ＴＶ受像機２のＣＰＵ２１が、メモリ３０に記憶されたＶＯＤ用アカウント情報３３を削除した（Ｓ５）。これに対して、第２の実施形態では、スマートフォン３が、ユーザによって、ＴＶ受像機２のＮＦＣ通信部８及びＢｌｕｅｔｏｏｔｈ通信エリア（Ｂｌｕｅｔｏｏｔｈ通信部３４による通信可能範囲）から離されて（Ｓ１４）、ＴＶ受像機２とスマートフォン３との間で使用可能な全ての種類の近距離無線通信方式による無線通信（ＮＦＣ通信とＢｌｕｅｔｏｏｔｈ通信）の接続が切断されると、ＴＶ受像機２のＣＰＵ２１が、メモリ３０に記憶されたＶＯＤ用アカウント情報３３（スマートフォン３の所有者（ユーザ）のアカウント情報）を削除（消去）する（Ｓ１５）。図５中のＳ１５、Ｓ１６は、図４中のＳ５、Ｓ６と同様である。
【００５０】
上記のように、第２の実施形態のＴＶシステム１によれば、ＴＶ受像機２のＣＰＵ２１は、ＴＶ受像機２とスマートフォン３との間で使用可能な全ての種類の近距離無線通信方式による無線通信の接続が切断されたときに、メモリ３０に記憶されたＶＯＤ用アカウント情報３３を削除するようにした。これにより、上記の複数の種類の近距離無線通信方式が、ＮＦＣと、ＮＦＣよりも通信可能範囲が広いＢｌｕｅｔｏｏｔｈとである場合、ＮＦＣ機能を搭載したスマートフォン３を、ＮＦＣ機能を搭載したＴＶ受像機２にかざしてユーザ認証（アカウントへのログイン）を行った後は、スマートフォン３を、ユーザが使用したり、ポケットに仕舞ったとしても、ＮＦＣよりも通信可能範囲が広いＢｌｕｅｔｏｏｔｈによる無線通信の方の接続は切断されないので、メモリ３０に記憶されたＶＯＤ用アカウント情報３３が削除されず、ユーザ認証された（アカウントにログインした）状態（ＶＯＤアプリケーション３２を使用可能な状態）が継続する。従って、ユーザの利便性が向上する。
【００５１】
＜第３の実施形態＞
図６は、本発明の第３の実施形態のＴＶシステム１において行われる、ＴＶ受像機２側のネットワークアプリケーションのアカウント情報の自動更新処理と自動削除処理を示す。第３の実施形態のＴＶシステム１におけるアカウント情報の自動更新処理は、第２の実施形態のＴＶシステム１におけるアカウント情報の自動更新処理と同様である。従って、図６中のＳ２１〜Ｓ２３は、図５中のＳ１１〜Ｓ１３と同様であり、図６中の（１）〜（５）も、図５中の（１）〜（５）と同様である。
【００５２】
また、第３の実施形態におけるアカウント情報の自動削除処理と、第２の実施形態におけるアカウント情報の自動削除処理とは、アカウント情報の削除のトリガーになるイベントが異なるだけであり、他の処理は同様である。
【００５３】
具体的に言うと、第２の実施形態では、スマートフォン３が、ユーザによって、ＴＶ受像機２のＮＦＣ通信部８及びＢｌｕｅｔｏｏｔｈ通信エリアから離されて（図５中のＳ１４）、ＴＶ受像機２とスマートフォン３との間で使用可能な全ての種類の近距離無線通信方式による無線通信の接続が切断されると、ＴＶ受像機２のＣＰＵ２１が、メモリ３０に記憶されたＶＯＤ用アカウント情報３３を削除した（Ｓ１５）。これに対して、第３の実施形態では、スマートフォン３が、ユーザによって、ＴＶ受像機２のＮＦＣ通信部８及びＢｌｕｅｔｏｏｔｈ通信エリアから離されて（図５中のＳ２４）、ＴＶ受像機２とスマートフォン３との間で使用可能な全ての種類の近距離無線通信方式による無線通信の接続が、一定の時間以上切断されると（Ｓ２５）、ＴＶ受像機２のＣＰＵ２１が、メモリ３０に記憶されたＶＯＤ用アカウント情報３３を削除（消去）する（Ｓ２６）。図６中のＳ２６、Ｓ２７は、図５中のＳ１５、Ｓ１６と同様である。
【００５４】
上記のように、第３の実施形態のＴＶシステム１によれば、ＴＶ受像機２のＣＰＵ２１は、ＴＶ受像機２とスマートフォン３との間で使用可能な全ての種類の近距離無線通信方式による無線通信（ＮＦＣ通信とＢｌｕｅｔｏｏｔｈ通信）の接続が、一定の時間以上切断されたときに、メモリ３０に記憶されたＶＯＤ用アカウント情報３３を削除するようにした。これにより、ノイズ等の影響で上記の全ての種類の近距離無線通信方式による無線通信の接続が瞬断した場合でも、メモリ３０に記憶されたＶＯＤ用アカウント情報３３が削除されないので、ユーザ認証された状態（ＶＯＤアプリケーション３２を使用可能な状態）が継続する。
【００５５】
なお、本発明は、上記実施形態の構成に限られず、発明の趣旨を変更しない範囲で種々の変形が可能である。例えば、上記実施形態では、本発明の携帯型情報端末が、スマートフォン３である場合の例について説明したが、本発明の携帯型情報端末は、これに限られず、例えば、いわゆるタブレット端末であってもよい。また、上記第２及び第３の実施形態では、ＴＶ受像機２とスマートフォン３との間で使用可能な近距離無線通信方式の種類が、２種類である場合の例を示したが、これに限られず、３種類以上（例えば、ＮＦＣ通信とＢｌｕｅｔｏｏｔｈ通信とＷｉＦｉ通信）であってもよい。
【符号の説明】
【００５６】
１    ＴＶシステム
２    ＴＶ受像機
３    スマートフォン（携帯型情報端末）
２１  ＣＰＵ（検索手段、認証情報削除手段、制御手段）
３０  メモリ（テレビ側認証情報記憶手段、認証情報記憶手段）
３３  ＶＯＤ用アカウント情報（ユーザ認証情報）
３４  Ｂｌｕｅｔｏｏｔｈ通信部（無線受信手段）
３９  Ｂｌｕｅｔｏｏｔｈ通信部（無線送信手段）
４０  ＣＰＵ（検索手段）
５０  メモリ（端末側認証情報記憶手段）
５４  ＶＯＤ用アカウント情報（ユーザ認証情報）
【図１】
2014115760.tif 000003
【図２】
2014115760.tif 000004
【図３】
2014115760.tif 000005
【図４】
2014115760.tif 000006
【図５】
2014115760.tif 000007
【図６】
2014115760.tif 000008